(57)【要約】【課題】視覚障害者の方々が身に付ける衣類や身の回り品に関して、自分自身でその色や模様の確認を行なうことができるようにする。【解決手段】所要形状に形成された基板１１に、所定の加熱加圧によるエンボス加工で点字Ｂを成形し、この点字Ｂにより衣類Ｐｓの色を表示した衣類および身の回り品用タグ１を作製する。点字表示された色に対応する衣類にこの衣類および身の回り品用タグ１を縫製加工して、衣類Ｐｓの色と衣類および身の回り品用タグ１に点字表示された色とを一致させる。【選択図】　図４
2004069745.tif 000002
【特許請求の範囲】
【請求項１】
衣類や身の回り品に縫製または貼着により取り付けられる衣類および身の回り品用タグであって、可撓性を有する基板に上記衣類や身の回り品の色または模様に関する情報が点字表示されていることを特徴とする衣類および身の回り品用タグ。
【請求項２】
上記基板は、透明性または半透明性あるいは有色の合成樹脂により形成されていることを特徴とする請求項１記載の衣類および身の回り品用タグ。
【請求項３】
上記点字は、上記基板に施されたエンボス加工により成形されていることを特徴とする請求項１記載の衣類および身の回り品用タグ。
【請求項４】
上記点字は、樹脂製基材または紙製基材に点字を成形したラベル用紙を上記基板に貼付することにより構成されていることを特徴とする請求項１記載の衣類および身の回り品用タグ。
【請求項５】
請求項１乃至請求項４のいずれかに記載の衣類および身の回り品用タグと、上記衣類および身の回り品用タグに点字表示された衣類や身の回り品に関する色または模様の情報を点字で解説した点字説明書と、を具備し、上記点字説明書は、上記衣類および身の回り品用タグに点字表示された衣類や身の回り品に関する色が数値化または記号化されて説明されていることを特徴とする衣類および身の回り品用タグセット。
【請求項６】
上記タグまたは点字説明書に表示された点字の内容の音声による解説を録音した記録媒体を具備することを特徴とする請求項５記載の衣類および身の回り品用タグセット。
【発明の詳細な説明】
【０００１】
【発明の属する技術分野】
本発明は、被服等の衣類や鞄等の身の回り品に取り付けられて視覚障害者の方々の利用に供される衣類および身の回り品用タグに関する。
【０００２】
【従来の技術】
従来、視覚障害者の方々が、例えば被服、靴下、ネクタイ等の衣類を購入する時や購入した衣類を身に付ける時に、とりわけ衣類の色や模様に関しては、以下に挙げるような方法でその色や模様を確認しているのが現状である。
【０００３】
▲１▼衣類の形状やデザインと対応させてその衣類の色や模様を記憶しておく。
▲２▼衣類の購入時や装着時、側で付き添う者に衣類の色や模様を尋ねて確認する。
▲３▼装着時に衣類の色や模様が分かるように、購入した衣類に何等かの目印を付けておく。
▲４▼人によっては装着時におけるコーディネートのミスを防ぐために、似たような色や模様の衣類を買い揃えている。
【０００４】
しかしながら、上記▲１▼〜▲４▼のような方法によると以下のような問題があった。
【０００５】
（１）▲１▼の記憶による方法では、一人で居る時に頼りとなるのは自分自身の記憶のみであり、記憶だけでは忘れてしまうことが多々あるために正確さに欠ける。また、衣類によっては複雑なデザインや様々な色を施した物もあり、正確に記憶しておくことが難しく、同じデザインの場合には色や模様の区別ができない。
【０００６】
（２）▲２▼の人に尋ねる方法では、側に見てもらう人がいないと色や模様のコーディネートが確認できない。また、複雑な色や模様の場合にはそれを伝えるのが難しく、本人が色や模様のイメージを把握したり、他人に与える印象を想起するのが困難である。
【０００７】
（３）▲３▼の目印を付ける方法では、どこにどのような目印を付けたのかが本人にしか分からず、誰もが分かるような統一された色表示方法ではないために他の人にとって都合が悪い。また、洗濯などにより目印が取れてしまうと、色や模様が思い出せなくなる。
【０００８】
（４）▲４▼の色を統一する方法では、毎回、似たような色や模様の衣類を購入しなければならず、選択の幅が狭くなるためにファッションを充分に楽しむことができない。
【０００９】
【発明が解決しようとする課題】
本発明は、このような問題点に鑑みてなされたものであり、その目的とするところは、視覚障害者の方々が身に付けるあらゆるものに対して、自分自身でその色や模様の確認を行なうことができる衣類および身の回り品用タグを提供することにある。
【００１０】
【課題を解決するための手段】
上記目的を達成するために、本発明に係る衣類および身の回り品用タグは、衣類や身の回り品に縫製または貼着により取り付けられる衣類および身の回り品用タグであって、可撓性を有する基板に上記衣類や身の回り品の色または模様に関する情報が点字表示されていることを特徴とする。
【００１１】
上記基板としては合成樹脂板や金属板が好適である。ここで、前者の合成樹脂は、熱可塑性樹脂、熱硬化性樹脂のいずれであっても良い。熱可塑性樹脂ではスチレン系樹脂（ＡＢＳ樹脂、ポリスチレン、ＡＳ樹脂等）、ポリエチレン、ポリプロピレン、ポリエステル等が使用できる。熱硬化性樹脂としてはメラミン樹脂、ウレタン樹脂、エポキシ樹脂等が考えられる。また、後者の金属板としては銅板、ステンレス板、アルミ板等が使用可能である。
【００１２】
なお、上記基板が透明性または半透明性の合成樹脂により形成されていると、この衣類および身の回り品用タグを衣類などの商品表示タグや品質表示タグに縫着する場合に、これらのタグにある商品名、素材、取扱方法などの表示が透視できて晴眼者にとっても好都合である。あるいは、上記基板が有色の合成樹脂により形成されていると、タグに印刷を施した上で点字加工する場合に、印刷の視認性が良くなる。
【００１３】
また、基板に点字を成形する方法としては、各種考えられるが、例えば基板を直接加圧または加熱加圧するエンボス加工を施す方法、樹脂製基材または紙製基材に点字を成形したラベル用紙を基板に貼付する方法、あるいは基板に紫外線硬化型インキや熱硬化型インキにより点字印刷する方法などを採用することができる。
【００１４】
また、本発明に係る衣類および身の回り品用タグセットは、上記のような衣類および身の回り品用タグと、このタグに点字表示された衣類や身の回り品に関する色または模様の情報を点字で解説した点字説明書と、を具備することを特徴とする。この点字説明書は、衣類および身の回り品用タグに点字表示された衣類や身の回り品に関する色が数値化または記号化されて説明されているものである。さらに、この衣類および身の回り品用タグセットには、タグまたは点字説明書に表示された点字の内容の音声による解説を録音した記録媒体を具備していても良い。
【００１５】
このように、本発明によれば、衣類等の一点一点に点字表示することが可能となり、例えば何色の服であるのかが視覚障害者の方々にも容易に確認できるものとなる。また、色に関する説明書を添付することで、他人に与える印象がどのようなものかを容易に判断できる。
【００１６】
【発明の実施の形態】
以下、本発明の好適な実施の形態について、添付図面を参照しながら詳細に説明する。
【００１７】
図１は本発明に係る衣類および身の回り品用タグの構成を示す平面図および断面図である。同図に示すように、この衣類および身の回り品用タグ１は、所要形状に形成された基板１１に、所定の加熱加圧によるエンボス加工を施し、凸部を成形することで点字Ｂが表示されている。
【００１８】
この点字Ｂによって表示される情報は、この衣類および身の回り品用タグ１が取り付けられる衣類や身の回り品に関する情報である。以下の実施例では、特に衣類の色や模様に関する情報が簡潔に表示されている。
【００１９】
基板１１の性質としては、衣類に取り付けることを考慮して適度の可撓性を有することが必要であり、その素材としては合成樹脂板や金属板が好適である。ここで、前者の合成樹脂は、熱可塑性樹脂、熱硬化性樹脂のいずれであっても良い。熱可塑性樹脂ではスチレン系樹脂（ＡＢＳ樹脂、ポリスチレン、ＡＳ樹脂等）、ポリエチレン、ポリプロピレン、ポリエステル等が使用できる。熱硬化性樹脂としてはメラミン樹脂、ウレタン樹脂、エポキシ樹脂等が考えられる。本実施例のようにエンボス加工により直接点字Ｂを成形することを考慮すると、成形性に優れ、成形収縮も小さいＡＢＳ樹脂が最適である。一方、後者の金属板としては銅板、ステンレス板、アルミ板等が使用可能である。
【００２０】
なお、基板１１が透明性または半透明性の合成樹脂により形成されていると、この衣類および身の回り品用タグ１を衣類の商品表示タグや品質表示タグに縫着する場合に、これらのタグにある商品名、素材、取扱方法などの表示が透視できて晴眼者にとっても都合が良い。あるいは、基板１１が有色の合成樹脂により形成されていると、タグ１に印刷を施した上で点字Ｂ加工する場合に、印刷の視認性が良くなる。
【００２１】
次に、基板１１の厚みＴ１としては、成形した点字Ｂの保形性と衣類に取り付けた時の着心地や曲げ変形を考慮した範囲内にする必要がある。その厚みとしては０．０５〜２．０ｍｍ程度の範囲内であれば良く、後述するように、この衣類および身の回り品用タグ１を衣類に縫製加工する場合を考えると、０．１〜１．５ｍｍ程度がより好ましい。
【００２２】
基板１１下端部に設けられた切り欠き部１２は、成形されている点字Ｂの読み取り方向を表わすためのもので、本実施例の場合、切り欠き部１２側を文頭にして、衣類の色である「き」「み」「ど」「り」と表記されている。また、この点字Ｂの表記が晴眼者にも読み取れるように読み仮名１３を印字して、点字Ｂと読み仮名１３とを並列表記しても良い。
【００２３】
ここで、上述したように基板に直接エンボス加工を施して点字を成形する構成に替えて、点字を成形したラベル用紙を基板に貼付する構成を採用することもできる。図２はその衣類および身の回り品用タグの構成を示す平面図および断面図であり、ラベル用紙を貼付した状態を示している。
【００２４】
本実施例のように、基板１１にラベル用紙２１を貼付する構成においても、基板１１の素材としては上述したような合成樹脂板や金属板が好適である。
【００２５】
ラベル用紙２１は、ラベル基材２１−１の裏面に粘着剤層２１−２が積層されており、この粘着剤層２１−２によって基板１１の表面に貼付できるように構成されている。
【００２６】
ラベル基材２１−１の素材としては、ポリエチレンテレフタレート（ＰＥＴ）フィルムなどの樹脂製基材の他、上質紙などの紙製基材も使用できるが、この衣類および身の回り品用タグ１が衣類等と一緒に洗濯されることを考慮すると、後者の紙製基材の場合にはその表面上に図示しないコーティング層を設ける必要がある。
【００２７】
また、ラベル基材２１−１と粘着剤層２１−２とを合わせたラベル用紙２１の厚みＴ２は、１００〜３００μｍ程度で、点字エンボス加工で使用可能な厚みに形成されている。点字エンボス加工の方法としては、ピン打圧による加工で点字を形成する点字プリンタを使用する、または点字を打ち込んだ亜鉛板などの金属板で紙やフィルムを挟んで加工するなどの方法が挙げられる。
【００２８】
基板１１とラベル用紙２１の下端部にそれぞれ設けられた切り欠き部１２，２２は、上記実施例と同様に、成形されている点字Ｂの読み取り方向を表わすためのもので、本実施例の場合、切り欠き部１２，２２側を文頭にして、衣類の模様である「た」「て」「じ」「ま」と表記されている。また、この点字Ｂの表記が晴眼者にも読み取れるように、読み仮名２３をラベル用紙２１に印字して、点字Ｂと読み仮名２３とを並列表記しても良い。
【００２９】
なお、図示しないが、基板に紫外線硬化型インキや熱硬化型インキにより点字印刷を施して点字を成形する方法も考えられる。また、これら点字成形の方法を応用して、例えば図３に示すように、衣類のボタン３０のボタン穴３１近傍に点字Ｂを成形して衣類および身の回り品用タグ１とすることも可能である。
【００３０】
次に、上記構成からなる衣類および身の回り品用タグを衣類に取り付ける例について、図４に基づき説明する。図４はこのタグを衣類の一例としてポロシャツに取り付ける例を示している。
【００３１】
衣類および身の回り品用タグ１をポロシャツＰｓに取り付ける場合、その取付箇所としては、同図に示すように、襟の内側部分Ｐｓ１や裾の内側部分Ｐｓ２などが適当である。
【００３２】
通常、前者の襟の内側部分Ｐｓ１には、商品名や製造者名が表示された商品表示タグ３２が設けられている。また、後者の裾の内側部分Ｐｓ２には、素材や洗濯・取扱方法などが表示された品質表示タグ３３が設けられている。
【００３３】
衣類を販売する販売店側では、視覚障害者の方々がこのポロシャツＰｓを購入する際に、商品表示タグ３２や品質表示タグ３３に、このポロシャツＰｓの色や模様などが点字Ｂで表示された衣類および身の回り品用タグ１を縫製加工することで、ポロシャツＰｓと衣類および身の回り品用タグ１とを一体化して販売するものとする。
【００３４】
また、図３に示したように、ボタン３０を衣類および身の回り品用タグ１として形成した場合には、通常のボタンを縫着する要領でこの衣類および身の回り品用タグ１をポロシャツＰｓに取り付けることができるので便利である。
【００３５】
なお、衣類および身の回り品用タグ１をポロシャツＰｓに取り付ける方法としては縫製に限らず、衣類および身の回り品用タグ１の裏面に図示しない粘着層を設けて貼着する方法を採用することもできる。
【００３６】
こうすることで、視覚障害者の方々は、自分で購入したポロシャツＰｓを身に付ける際に、襟または裾に取り付けられた衣類および身の回り品用タグ１の点字Ｂを指でなぞるだけで、このポロシャツＰｓの色や模様を確実に読み取ることができる。
【００３７】
よって、例えば似たようなデザインの衣類を混在させて洗濯してしまったような場合であっても、自分自身で衣類の色や模様を確認して、他の衣類との区別をすることができる。
【００３８】
さらに、衣類の販売時に、衣類および身の回り品用タグを縫製または貼着するサービスに加えて、この衣類および身の回り品用タグに対応して、タグに表示されている点字を解説した点字説明書をセットにして手渡す形態も考えられる。
【００３９】
図５はこの点字説明書の構成の一例を示す平面図である。同図に示すように、この点字説明書４０は、衣類を販売する販売店側で用意され、本実施例では複数枚の用紙Ｐ１，Ｐ２，…，Ｐｎを束にした冊子形態をとっている。それぞれの用紙Ｐには、衣類および身の回り品用タグ１を取り付ける衣類がその品目ごとに区分けされて表示されており、例えば図４で説明したポロシャツＰｓについては、その色、模様、サイズ、価格などの衣類に関する衣類情報４１が点字Ｂで一覧表示されている。
【００４０】
また、この点字説明書４０の特徴として、この衣類情報４１のうち、特にその色について、例えば青は「００１」、…、赤は「００７」という具合に、それぞれの色に一対一で対応する数値Ｎが与えられており、色に関する情報を数値化して分類されているのが特徴である。なお、分類の仕方は図示した数値Ｎに限らず、アルファベットなどの記号、あるいは数値と記号の組み合わせが考えられる。
【００４１】
このことにより、衣類の色が衣類および身の回り品用タグ１に表現し切れないような複雑な色の場合であっても、点字説明書４０とセットとなる衣類および身の回り品用タグ１には、この数値化した色に対応する数値Ｎのみを点字成形すれば良い。よって、色に関する情報の点字成形スペースを縮小化し、余ったスペースに衣類に関するその他の情報を点字成形することができるため、衣類および身の回り品用タグ１に載せる情報量を増大させることが可能となる。
【００４２】
さらに、視覚障害者の方々がその衣類のイメージを捉え易くなるように、衣類に関する衣類情報４１のうち、特にその色に関し、例えば青色のポロシャツについては「海」のイメージ、赤色のポロシャツについては「炎」のイメージ、といった具合に、その色が持つイメージ情報４１−１が点字Ｂにより付記されていると良い。
【００４３】
また、図示しないが、このような点字説明書に加え、タグや点字説明書に表示された点字の表示内容を音声により解説し、これをカセットテープやＣＤなどの記録媒体に録音したものをセットにして手渡せば、点字が読めない方にも衣類や身の回り品のイメージをより詳細に伝達することが可能となる。
【００４４】
このようにすれば、視覚障害者の方々が自分自身で衣類の色や模様を、より的確に把握できることから、衣類を身に付けた時の他人に与える印象を容易に想起でき、ファッションを充分に楽しむ余裕ができる。
【００４５】
なお、上述した実施形態においては、この衣類および身の回り品用タグをポロシャツに取り付けた例を挙げて説明したが、本発明はその他の衣類や身の回り品にも同様に適用可能である。例えば、その他の被服、靴、靴下、ネクタイ、ハンカチ、帽子、鞄等もその適用対象となる。よって、視覚障害者の方々が身に付けるあらゆるものに対して、自分自身で色や模様の確認を行なうことができ、衣類や身の回り品のトータルコーディネートを図ることができる。
【００４６】
【発明の効果】
以上詳細に説明したように、本発明は以下のような効果を奏する。
【００４７】
本発明に係る衣類および身の回り品用タグによれば、衣類や身の回り品に関する色や模様に関する情報が簡潔に点字表記され、衣類や身の回り品に縫製または貼着により取り付けられる。このため、視覚障害者の方々は、自分で購入した衣類等を身に付ける際に、衣類に取り付けられた衣類および身の回り品用タグの点字をなぞるだけで、その色や模様を確実に読み取ることができる。
【００４８】
したがって、視覚障害者の方々が衣類の色を自分で暗記しておく必要もなく、例えば似たようなデザインの衣類を混在させて洗濯してしまったような場合であっても、自分自身で衣類の色や模様を確認して、他の衣類との区別をすることができる。
【００４９】
また、自分自身で衣類の色や模様をより的確に把握できることから、衣類を身に付けた時の他人に与える印象を容易に想起でき、ファッションを充分に楽しむことができるようになる。
【００５０】
一方、本発明に係る衣類および身の回り品用タグセットによれば、衣類および身の回り品用タグとこのタグの点字表記を解説した点字説明書とがセットになっており、この点字説明書には、衣類の色、模様、サイズ、価格などの衣類に関する衣類情報が点字で一覧表記され、特に色に関する情報を数値化または記号化して分類されている。このため、衣類の色が衣類および身の回り品用タグに表現し切れないような複雑な色の場合であっても、衣類および身の回り品用タグには、この数値化または記号化した色に対応する数値や記号のみを点字成形すれば良い。
【００５１】
したがって、色に関する情報の点字成形スペースを縮小化し、余ったスペースに衣類に関するその他の情報を点字成形することができるため、衣類および身の回り品用タグに載せる情報量を増大させることが可能となる。
【図面の簡単な説明】
【図１】（ａ）は衣類および身の回り品用タグの構成を示す平面図、（ｂ）は（ａ）のｂ−ｂ線断面図。
【図２】（ａ）は衣類および身の回り品用タグの構成を示す平面図、（ｂ）は（ａ）のｂ−ｂ線断面図。
【図３】衣類および身の回り品用タグの他の構成例を示す平面図。
【図４】衣類および身の回り品用タグの取付箇所の例を示す平面図。
【図５】衣類および身の回り品用タグセットにおける点字説明書の構成を示す平面図。
【符号の説明】
１　衣類および身の回り品用タグ
１１　基板
１２　切り欠き部
１３　読み仮名
２１　ラベル用紙
２１−１　ラベル基材
２１−２　粘着剤層
２２　切り欠き部
２３　読み仮名
３０　ボタン
３１　ボタン穴
３２　商品表示タグ
３３　品質表示タグ
４０　点字説明書
４１　衣類情報
４１−１　イメージ情報
Ｂ　点字
Ｐ１，Ｐ２，…，Ｐｎ　用紙
Ｐｓ　ポロシャツ
Ｎ　数値
Ｔ１　基板の厚み
Ｔ２　ラベル用紙の厚み
【図１】
2004069745.tif 000003
【図２】
2004069745.tif 000004
【図３】
2004069745.tif 000005
【図４】
2004069745.tif 000006
【図５】
2004069745.tif 000007